(57)【要約】【課題】耳式体温計用プローブカバーについて開示する。【解決手段】プローブカバーは、耳式体温計用の該プローブカバーの開口端に配置された複数の弾性凹部によって、プローブに装着される。プローブカバーは、弾性凹部の弾力によって、耳式体温計のプローブに容易かつ堅固に装着することができる。過剰伸張によるプローブカバーの損傷を防ぐことができる。【選択図】図２
2014087646.tif 000002
【特許請求の範囲】
【請求項１】
耳式体温計のプローブを被包するために用いられる耳式体温計用プローブカバーであって、前記プローブは底部に環状構成要素を有し、耳式体温計用の該プローブカバーは、中空構造を有するテーパ状の本体を備え、前記テーパ状本体は、第１の開口端と、該第１の開口端に対応する閉鎖端とを有し、前記中空構造の直径は、前記第１の開口端から前記閉鎖端へと徐々に縮小しており、耳式体温計用の該プローブカバーは、
前記開口端に隣接して配置されて第２の開口端を形成する環状の弾性部であって、該第２の開口端は環状であり、該環状弾性部は環状の内面と環状の外面とを有する、環状弾性部と、
前記第２の開口端から張り出したフランジであって、該フランジは、上面と、該上面に対応する底面と、を有し、前記上面は前記閉鎖端のほうに向いている、フランジと、
前記フランジが前記環状弾性部と交わっているところである前記第２の開口端に形成された少なくとも１つの弾性凹部であって、前記環状弾性部の前記環状内面と前記フランジの前記底面とにそれぞれ形成されたノッチを有し、これに対応して前記環状弾性部の前記環状外面に突出部が形成されている、少なくとも１つの弾性凹部と、を備え、
前記テーパ状本体と、前記環状弾性部と、前記フランジと、前記少なくとも１つの弾性凹部とは、一体に形成されている、ことを特徴とする、
耳式体温計用プローブカバー。
【請求項２】
耳式体温計のプローブを被包するために用いられる耳式体温計用プローブカバーであって、前記プローブは底部に環状構成要素を有し、耳式体温計用の該プローブカバーは、中空構造を有するテーパ状の本体を備え、前記テーパ状本体は、第１の開口端と、該第１の開口端に対応する閉鎖端とを有し、前記中空構造の直径は、前記第１の開口端から前記閉鎖端へと徐々に縮小しており、耳式体温計用の該プローブカバーは、
前記開口端に隣接して配置されて第２の開口端を形成する環状の弾性部であって、該第２の開口端は環状であり、該環状弾性部は環状の内面と環状の外面とを有する、環状弾性部と、
前記第２の開口端から張り出したフランジであって、該フランジは、上面と、該上面に対応する底面と、を有し、前記上面は前記閉鎖端のほうに向いている、フランジと、
前記フランジが前記環状弾性部と交わっているところである前記第２の開口端に形成された少なくとも１つの弾性凹部であって、前記環状弾性部の前記環状内面と前記フランジの前記底面とにそれぞれ形成されたノッチを有し、これに対応して前記環状弾性部の前記環状外面に突出部が形成されている、少なくとも１つの弾性凹部と、を備え、
前記テーパ状本体と、前記環状弾性部と、前記フランジと、前記少なくとも１つの弾性凹部とは、一体に形成されており、また、前記第２の開口端の口径は前記フランジの外径よりも小さい、ことを特徴とする、
耳式体温計用プローブカバー。
【請求項３】
耳式体温計のプローブを被包するために用いられる耳式体温計用プローブカバーであって、前記プローブは底部に環状構成要素を有し、耳式体温計用の該プローブカバーは、中空構造を有するテーパ状の本体を備え、前記テーパ状本体は、第１の開口端と、該第１の開口端に対応する閉鎖端とを有し、前記中空構造の直径は、前記第１の開口端から前記閉鎖端へと徐々に縮小しており、耳式体温計用の該プローブカバーは、
前記開口端に隣接して配置されて第２の開口端を形成する環状の弾性部であって、該第２の開口端は環状であり、該環状弾性部は環状の内面と環状の外面とを有する、環状弾性部と、
前記第２の開口端から張り出したフランジであって、該フランジは、上面と、該上面に対応する底面と、を有し、前記上面は前記閉鎖端のほうに向いている、フランジと、
前記フランジが前記環状弾性部と交わっているところである前記第２の開口端に等間隔で形成された複数の弾性凹部であって、前記環状弾性部の前記環状内面と前記フランジの前記底面とにそれぞれ形成されたノッチを有し、これに対応して前記環状弾性部の前記環状外面に突出部が形成されている、複数の弾性凹部と、を備え、
前記テーパ状本体と、前記環状弾性部と、前記フランジと、前記弾性凹部とは、一体に形成されており、また、前記第２の開口端の口径は前記フランジの外径よりも小さい、ことを特徴とする、
耳式体温計用プローブカバー。
【発明の詳細な説明】
【技術分野】
【０００１】
本発明は、耳式体温計用プローブカバーに関するものである。耳式体温計用プローブカバーの開口端にいくつかの弾性凹部を設けることで、プローブカバーが耳式体温計に装着されたときの過剰伸張による損傷を防ぐように、耳式体温計用プローブカバーは、弾性凹部の弾力によって、耳式体温計のプローブを容易に被覆することができる。
【背景技術】
【０００２】
技術の進歩と発展によって、耳式体温計、おでこ体温計など、従来の水銀体温計とは異なる数多くの体温測定方法が徐々に開発されている。耳式体温計は、高速測定、高精度、簡単操作などの長所から、人気の体温測定方法となっている。
【０００３】
耳式体温計による測定方法では、耳式体温計のプローブを患者の耳腔に入れて、人体から放射される電磁波を検出することにより体温を測定する。この種の測定方法では、人体に直接接触する必要があるため、安全衛生を考慮して、耳式体温計による測定に先立ってプローブを被包するプローブカバーが用いられ、体温の測定後にプローブカバーは取り外して廃棄される。
【０００４】
耳式体温計用の従来のプローブカバーを図１に示す。これは、テーパ状の本体５０と、このテーパ状本体５０の底部から張り出したフランジ５２と、を備える。テーパ状本体５０またはフランジ５２は、通常、耳式体温計の環状構造部と結合するように構成された突出部５４を含んでおり、これによって、プローブカバーは耳式体温計のプローブに固定される。
ところが、この固定方法では、プローブカバーを装着する際にユーザによる押圧が必要であり、また、プローブからプローブカバーを取り外すためのプローブカバー取り外し構造が必要となり、非常に不便である。耳式体温計用プローブカバーの突出部５４は、突出部５４が使用されるときに過剰伸張していることで損傷される可能性がある。
【発明の概要】
【発明が解決しようとする課題】
【０００５】
そこで、上記問題に応じて、耳式体温計を使用する際に容易かつ堅固に装着することができ、過剰伸張によって損傷されることがないプローブカバーが、耳式体温計に必要である。
【課題を解決するための手段】
【０００６】
本発明の目的は、耳式体温計用プローブカバーを提供することであり、耳式体温計用の該プローブカバーは伸張可能である。耳式体温計用プローブカバーは、容易かつ堅固に装着することができ、過剰伸張によって損傷されることがない。
【０００７】
上記目的に従って、本発明では耳式体温計用プローブカバーを開示する。耳式体温計用の該プローブカバーは、耳式体温計のプローブを被包するために用いられ、そのプローブは底部に環状構成要素を有している。
耳式体温計用プローブカバーは、中空構造を有するテーパ状の本体を備え、テーパ状本体は、第１の開口端と、この第１の開口端に対応する閉鎖端とを有し、中空構造の直径は第１の開口端から閉鎖端へと徐々に縮小しており、さらに、耳式体温計用プローブカバーは、環状の弾性部と、フランジと、複数の弾性凹部と、を備える。
環状弾性部は、上記開口端に隣接して配置されて、第２の開口端を形成しており、第２の開口端は環状であって、環状弾性部は環状の内面と環状の外面とを有する。フランジは第２の開口端から張り出しており、フランジは、上面と、この上面に対応する底面とを有し、上面は閉鎖端のほうに向いている。弾性凹部は第２の開口端に形成されており、そこでフランジが環状弾性部と交わっている。環状弾性部の環状内面とフランジの底面とにそれぞれノッチが形成されており、これに対応して環状弾性部の環状外面に突出部が形成されている。
【発明の効果】
【０００８】
本発明の耳式体温計用プローブカバーを用いると、耳式体温計用プローブカバーの環状開口端は、弾性凹部があるため、伸張していることで損傷されることがない。環状弾性部の伸張性によって、耳式体温計用プローブカバーは、耳式体温計のプローブに堅固に装着することができる。
【０００９】
本発明の上記説明は、好ましい実施形態についての以下の詳細な説明および添付の図面を参照することで、最も良く理解することができる。
【図面の簡単な説明】
【００１０】
【図１】従来技術における耳式体温計用プローブカバーを示す図である。
【図２】本発明の一実施形態における耳式体温計用プローブカバーを示す側面図である。
【図３】本発明の同実施形態における耳式体温計用プローブカバーを示す上面図である。
【図４】本発明の同実施形態における耳式体温計用プローブカバーとプローブとを比較して口径を示す図である。
【図５Ａ】本発明の同実施形態における耳式体温計用プローブカバーの、伸張する前の環状開口端を示す図である。
【図５Ｂ】本発明の同実施形態における耳式体温計用プローブカバーの、伸張した後の環状開口端を示す図である。
【図６】本発明の同実施形態においてプローブに装着された耳式体温計用プローブカバーを示す図である。
【発明を実施するための形態】
【００１１】
好ましい実施形態についての以下の詳細な説明では、本発明を実施することができる具体的な実施形態を例によって示し、本明細書に添付した図面を参照している。これに関連して、「上」、「下」、「前」、「後」、「左」、「右」、「内側」、「外側」、「側方」などの方向を示す用語が、説明中の図面の方向を参照して用いられる。このような方向を示す用語は、説明のために用いられるものであって、本発明を限定するものではない。
【００１２】
最初に、図２と図３を参照する。これらは、本発明の一実施形態における耳式体温計用プローブカバーの側面図と上面図である。図２および図３に示すように、耳式体温計用プローブカバー１は、中空構造を有するテーパ状の本体１０と、環状の弾性部１２と、フランジ１４と、複数の弾性凹部２０と、を備える。
【００１３】
具体的には、テーパ状本体１０は、開口端１０１と、この開口端１０１に対応する閉鎖端１０３と、を有する。中空構造の直径は、開口端１０１から閉鎖端１０３へと徐々に減少しており、また、テーパ状本体１０の中空構造は、切断された上端を有する円錐台である。環状弾性部１２は、開口端１０１の近くに配置されて、環状の開口端１２１を形成しており、環状弾性部１２は、環状の内面１２３と環状の外面１２５とを有する。
フランジ１４は、環状開口端１２１から外側に張り出しており、フランジ１４は、環状開口端１２１と同じ方向に向いた底面１４１と、この底面１４１に対応する上面１４３であって閉鎖端１０３と同じ方向に向いた上面と、を有する。上面１４３は、閉鎖端１０３のほうに向いている。弾性凹部２０は、それぞれ順に環状開口端１２１に等間隔で配置されており、そこでフランジ１４が環状弾性部１２と交わっている。
弾性凹部２０は、環状内面１２３とフランジ１４の底面１４１とにそれぞれ形成されたノッチ２０１を有するように、形成されている。環状の外面１２５は、弾性凹部２０に対応する位置に突出部２０３を備えて形成されている。
本実施形態では、弾性凹部の数は４つであり、環状内面１２３とフランジ１４の底面１４１とに形成されたノッチ２０１の形状は矩形である。弾性凹部２０は、対称的に対で配置されている。ただし、本発明における弾性凹部の数および形状は、本実施形態におけるものに限定されない。例えば、形状は多角形とすることができ、弾性凹部の数は２つまたは１つのみとすることができる。
また、テーパ状本体１０と、環状弾性部１２と、フランジ１４と、弾性凹部２０とは、一体に形成され、その材料は高分子で構成されるが、ただし、本発明においては限定されない。
【００１４】
次に、図４を参照する。これは、本発明の実施形態における耳式体温計用プローブカバーと耳式体温計のプローブとを示す口径比較図である。体温を測定する際には、図４に示すように、耳式体温計用プローブカバー１が耳式体温計本体４のプローブ３を被包しており、また、プローブ３の底端の周辺領域には環状のフランジ３０がある。
本実施形態における環状開口端１２の口径はＣ1であり、プローブ３の環状フランジ３０の外径はＣ2である。プローブ３にプローブカバー１を固定するためには、Ｃ2はＣ1よりも大きくなければならない。耳式体温計用プローブカバー１の環状開口端１２１は、弾性である必要があり、これによって、耳式体温計用プローブカバー１がプローブ３に固定されるときに、うまく装着されるように適切に伸張することが可能である。
【００１５】
続いて、図５Ａおよび図５Ｂを参照する。これらは、本実施形態における耳式体温計用プローブカバーの環状開口端の伸張を示す図である。まず、図５Ａに示すように、環状開口端１２１が伸張される前は、その口径はＣ1であり、図５Ａによれば、外側の点線の口径Ｃ3はＣ1よりも大きく、Ｃ3は環状開口端１２１の伸張の限界を表している。
次に、図４と図５Ｂを同時に参照する。耳式体温計用プローブカバー１がプローブ３を被包するときには、プローブ３の環状フランジ３０が環状開口端１２１に接触する。環状フランジ３０の外径Ｃ2は、環状開口端１２１の口径Ｃ1よりも大きいので、環状開口端１２１は伸張される。環状開口端１２１に弾性凹部２０が配置されているので、環状開口端１２１は、環状開口端１２１の周辺領域において、弾性凹部２０によってその弾力により伸張される。口径Ｃ1は、環状フランジ３０が環状開口端１２１の口径Ｃ4を通過するように、伸張される。
こうして、耳式体温計用プローブカバー１は、プローブ３をうまく被包することができる。そのとき、環状フランジ３０が環状開口端１２１を通過した後に、環状開口端１２１は、弾性凹部２０の弾性復元力によって元の口径Ｃ1に戻り、プローブ３の表面に張り付く。このように、環状開口端１２１は、プローブカバー１の使用中に耳式体温計用プローブカバー１の損傷の可能性を引き起こすことになる過剰伸張を受けることがなく、これによって、耳式体温計のプローブ３の摩耗が抑えられる。
【００１６】
次に、図６を参照する。これは、本発明の上記実施形態において耳式体温計に装着されたプローブカバーを示す図である。図６に示すように、弾性凹部２０により伸張を実現することによって、耳式体温計用プローブカバー１は、容易かつ迅速にプローブ３を被包することができる。
また、図４と図６を併せて参照して、耳式体温計のプローブ３上の環状フランジ３０と耳式体温計の本体４との間に（図４に示すように）距離Ｈが確保されている。すなわち、環状フランジ３０の下に間隙３０１が存在し、その外周は、環状フランジ３０の外径Ｃ2よりも小さい。
従って、環状開口端１２１の伸張（図６における点線は非伸長状態である）によって、環状フランジ３０が環状開口端１２１を通過すると、環状開口端１２１は、弾性凹部２０の弾力と弾性復元力によって収縮し、これによって、環状開口端１２１を通過した後の環状フランジ３０の下の間隙３０１の表面を被包する。こうして、環状弾性部１２が環状フランジ３０を被包した状態となる。耳式体温計用プローブカバーは、容易には緩まない。
【００１７】
上記では、本発明について、その好ましい実施形態によって説明したが、当然のことながら、添付の請求項によってのみ限定されるものとする発明の範囲および趣旨から逸脱することなく、記載の実施形態の数多くの変更および変形を実施することができる。
【図１】
2014087646.tif 000003
【図２】
2014087646.tif 000004
【図３】
2014087646.tif 000005
【図４】
2014087646.tif 000006
【図５Ａ】
2014087646.tif 000007
【図５Ｂ】
2014087646.tif 000008
【図６】
2014087646.tif 000009